(57)【要約】【課題】本発明は、強制終了処理に便利である強制終了装置を提供することを目的とする。【解決手段】本発明に係る強制終了装置は、２つの強制終了接点が設けられているソリッドステートドライブを備える。前記ソリッドステートドライブは、接続部を備え、前記接続部には、前記２つの強制終了接点にそれぞれ電気的に接続されている２つの接続端子が設けられ、前記強制終了装置は、前記接続部に着脱可能に装着される短絡処理器をさらに備え、前記短絡処理器は、短絡状態の２つの接続線を備え、前記２つの接続線は、前記２つの接続端子にそれぞれ電気的に接続される。【選択図】図２
2013235589.tif 000002
【特許請求の範囲】
【請求項１】
２つの強制終了接点が設けられているソリッドステートドライブを備える強制終了装置において、
前記ソリッドステートドライブは、接続部を備え、前記接続部には、前記２つの強制終了接点にそれぞれ電気的に接続されている２つの接続端子が設けられ、
前記強制終了装置は、前記接続部に着脱可能に装着される短絡処理器をさらに備え、前記短絡処理器は、短絡状態の２つの接続線を備え、前記２つの接続線は、前記２つの接続端子にそれぞれ電気的に接続されることを特徴とする強制終了装置。
【請求項２】
前記ソリッドステートドライブには、ファームウェアをインストールするための制御チップがさらに設けられ、前記２つの強制終了接点は、前記制御チップと電気的に接続され、前記２つの強制終了接点が短絡される場合、前記制御チップは、自身の内部にインストールされているファームウェアを消去することを特徴とする請求項１に記載の強制終了装置。
終了装置。
【請求項３】
前記短絡処理器は、前記接続部に着脱するためのポートをさらに備えることを特徴とする請求項１又は２に記載の強制終了装置。
【請求項４】
ファームウェアをインストールするための制御チップ及び前記制御チップに電気的に接続されている２つの強制終了接点が設けられているソリッドステートドライブを備える強制終了装置において、
前記ソリッドステートドライブには、前記２つの強制終了接点にそれぞれ電気的に接続されている２つの接続端子がさらに設けられ、
前記強制終了装置は、前記短絡処理器をさらに備え、前記短絡処理器が前記ソリッドステートドライブに着脱可能に装着されて、前記２つの接続端子を短絡させることによって、前記２つの強制終了接点は短絡され、且つこの短絡によって、前記制御チップは、自身の内部にインストールされているファームウェアを消去することを特徴とする強制終了装置。
【請求項５】
前記短絡処理器は、ポート及び前記ポートに短絡状態で設けられている２つの接続線を備え、前記２つの接続線は、前記２つの接続端子にそれぞれ電気的に接続されることを特徴とする請求項４に記載の強制終了装置。
【発明の詳細な説明】
【技術分野】
【０００１】
本発明は、ソリッドステートドライブ（Ｓｏｌｉｄ  Ｓｔａｔｅ  Ｄｒｉｖｅ，以下ＳＳＤと略称する）にファームウェアをインストール際の強制終了装置に関するものである。
【背景技術】
【０００２】
ソリッドステートドライブは、体積及び騒音が小さく、エネルギー消耗が低いなどの利点を有することから、現在、サーバなどの電子装置に広く用いられている。ＳＳＤを使用する前には、先ず、ＳＳＤをアクティブ化する必要がある。即ち、ＳＳＤにファームウェアを書き込む。しかし、その過程において、ＳＳＤにおける制御チップの不良によって、ファームウェアが不完全に書き込まれる問題が発生している。従って、このような場合、オペレータは、ＳＳＤにおける２つの強制ダウンロード接点を短絡させて、ＳＳＤに対して強制終了して、ＳＳＤにおける前記不完全なファームウェアを除去しなければならない。
【０００３】
しかし、前記２つの強制ダウンロード接点の設計の特殊性によって、２つの強制終了接点を短絡させる際、専用のプローブが必要である。従って、操作に不便であり、且つ該プローブに対しても、さらに専用の給電電源が必要であるので、設計コストが高くなる。
【発明の概要】
【発明が解決しようとする課題】
【０００４】
以上の問題点に鑑みて、本発明は、強制終了処理に便利である強制終了装置を提供することを目的とする。
【課題を解決するための手段】
【０００５】
前記課題を解決するために、本発明に係る強制終了装置は、２つの強制終了接点が設けられているソリッドステートドライブを備える。前記ソリッドステートドライブは、接続部を備え、前記接続部には、前記２つの強制終了接点にそれぞれ電気的に接続されている２つの接続端子が設けられ、前記強制終了装置は、前記接続部に着脱可能に装着される短絡処理器をさらに備え、前記短絡処理器は、短絡状態の２つの接続線を備え、前記２つの接続線は、前記２つの接続端子にそれぞれ電気的に接続される。
【０００６】
また、前記課題を解決するために、本発明に係る強制終了装置は、ファームウェアをインストールするための制御チップ及び前記制御チップに電気的に接続されている２つの強制終了接点が設けられているソリッドステートドライブを備える。前記ソリッドステートドライブには、前記２つの強制終了接点にそれぞれ電気的に接続されている２つの接続端子がさらに設けられ、前記強制終了装置は、前記短絡処理器をさらに備え、前記短絡処理器が前記ソリッドステートドライブに着脱可能に装着されて、前記２つの接続端子を短絡させることによって、前記２つの強制終了接点は短絡され、且つこの短絡によって、前記制御チップは、自身の内部にインストールされているファームウェアを消去する。
【発明の効果】
【０００７】
本発明に係る強制終了装置において、接続部に、２つの強制終了接点にそれぞれ電気的に接続されている２つの接続端子が設けられ、該２つの接続端子は短絡処理器の２つの接続線によって短絡される。これにより、短絡処理器が接続部に挿入して接続された場合、２つの強制終了接点は短絡されて、ＳＳＤに対して強制終了処理を行う。従って、本発明に係る強制終了装置は、専用のプローブを必要とせず、短絡処理器を接続部に挿入するだけで、強制終了処理を行うことができるので、操作に便利で、且つ操作の効率を向上させることができる。
【図面の簡単な説明】
【０００８】
【図１】本発明に係る強制終了装置のソリッドステートドライブの平面図である。
【図２】図１に示したソリッドステートドライブを別の視点から見た平面図である。
【図３】本発明に係る強制終了装置の短絡処理器の平面図である。
【発明を実施するための形態】
【０００９】
以下、図面に基づいて、本発明に係る強制終了装置について詳細に説明する。
【００１０】
本発明に係る強制終了装置は、ソリッドステートドライブ（ＳＳＤ）に対してファームウェアのインストールを強制終了して、ＳＳＤにおける不完全なファームウェアを除去する。
【００１１】
図１及び図３を参照すると、強制終了装置は、ソリッドステートドライブ（ＳＳＤ）１０及び短絡処理器３０を備える。短絡処理器３０は、ＳＳＤ１０に着脱可能に装着される。
【００１２】
図１及び図２に示したように、ＳＳＤ１０には、コネクタ１１、制御チップ１２及び記憶チップ１３が設けられている。コネクタ１１は、ＳＳＤ１０の側辺に設けられ、且つ電子装置のマザーボード（図示せず）におけるデュアルインラインメモリモジュール（ＤＩＭＭ）のソケットに挿入接続される。制御チップ１２は、コネクタ１１に電気的に接続され、且つ記憶空間を定義して、ファームウェアをインストールすることに用いられる。制御チップ１２は、ファームウェアの制御下で、データ（例えば、音声ファイル等）を読み、書き込む。記憶チップ１３は、制御チップ１２に電気的に接続され、且つデータを記憶することに用いられる。ＳＳＤ１０を使用する前に、マザーボード及びコネクタ１１を介して、制御チップ１２内にファームウェアを書き込んで、ＳＳＤ１０をアクティブ化する。
【００１３】
ＳＳＤ１０は、対向する第一表面１４及び第二表面１５を有する。本実施形態において、制御チップ１２及びコネクタ１１は、第一表面１４に設けられ、記憶チップ１３は、第一表面１４及び第二表面１５に設けられている。第二表面１５には、制御チップ１２に接続される２つの強制終了接点１６が設けられている。該２つの強制終了接点が短絡されると、制御チップ１２は、自身の内部におけるファームウェアを自動的に消去する。
【００１４】
ＳＳＤ１０の一端には、接続部１７が設けられている。該接続部１７の前記第一表面１４と同一の面に位置する表面には、複数の接続ピン１７２が設けられ、該接続部１７の他の表面（つまり、第二表面１５と同一の面に位置する表面）には、２つの接続端子１７４が設けられている。複数の接続ピン１７２は、通常のハードディスクケーブルに電気的に接続されて、ＳＳＤ１０とマザーボートとの間においてデータの伝送を行う。２つの接続端子１７４は、電気配線を介して、２つの強制終了接点１６にそれぞれ接続されている。
【００１５】
本実施形態において、短絡処理器３０は、ポート３２及び２つの接続線３４を備える。前記ポート３２には、ＳＳＤ１０の接続部１７が挿入接続される。２つの接続線３４は、ポート３２と互いに短絡状態で、接続部１７の２つの連接端子１７４にそれぞれ対応して設置される。これにより、短絡処理器３０が接続部１７に接続された場合、接続部１７の２つの連接端子１７４は短絡される。また、設計及び使用をさらに便利にさせるために、短絡処理器３０の外部構造を、通常のハードディスクケーブルに類似させることができる。例えば、通用のハードディスクケーブルにおける２つの連接端子１７４に対応する２つの信号線を短絡させれば良い。
【００１６】
以下、強制終了装置の動作原理について説明する。
【００１７】
ＳＳＤ１０をアクティブ化する際に、オペレータは、先ず、マザーボード及びコネクタ１１を介して、制御チップ１２内にファームウェアを書き込む。ファームウェアの書き込みに失敗した場合、オペレータは、短絡処理器３０のポート３２を接続部１７に接続させて、２つの接続線３４を接続部１７の２つの接続端子１７４にそれぞれ電気的に接続させて、２つの接続端子１７４に対して、電気的に接続されている２つの強制終了接点１６を短絡するようにする。これにより、制御チップ１２は、自身の内部における書き込みに失敗したファームウェアを自動的に消去して、強制終了処理を完了する。
【００１８】
オペレータは、強制終了処理が完了した後、ＳＳＤ１０から短絡処理器３０を離脱させ、且つファームウェアの書き込みを再び開始する。ファームウェアの書き込みが成功すると、ＳＳＤ１０のアクティブ化も完了するので、データ伝送を行うことができる。この時、通常のハードディスクケーブルを接続部１７の複数の接続ピン１７２と、電気的に接続させて、データの伝送を行う。２つの接続端子１７４と複数の接続ピン１７２とは、それぞれ接続部１７の両面に設けられているので、接続端子１７４と接続ピン１７２とは互いに影響しない。
【００１９】
本発明に係る強制終了装置において、接続部１７に、２つの強制終了接点１６にそれぞれ電気的に接続されている２つの接続端子１７４が設けられ、該２つの接続端子１７４は短絡処理器３０の２つの接続線３４によって短絡される。これにより、短絡処理器３０が接続部１７に挿入して接続された場合、２つの強制終了接点１６は短絡されて、ＳＳＤ１０に対して強制終了処理を行う。従って、本発明に係る強制終了装置は、専用のプローブを必要とせず、短絡処理器３０を接続部１７に挿入するだけで、強制終了処理を行うことができるので、操作に便利で、且つ操作の効率を向上させることができる。
【００２０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２１】
１０    ソリッドステートドライブ
１１    コネクタ
１２    制御チップ
１３    記憶チップ
１４    第一表面
１５    第二表面
１６    強制終了接点
１７    接続部
１７２    接続ピン
１７４    接続端子
３０    短絡処理器
３２    ポート
３４    接続線
【図１】
2013235589.tif 000003
【図２】
2013235589.tif 000004
【図３】
2013235589.tif 000005